(57)【要約】  リモコン２００が、リーダライター１０４を搭載した携帯端末１００と本体機器３００の間を取り持つパイプ役となる。  リーダライター１０４は、トランスポンダー２０４を認識した以降は、トランスポンダー２０４内のＮＤＥＦ（ＮＦＣ  Ｄａｔａ  Ｅｘｃｈａｎｇｅ  Ｆｏｒｍａｔ）データを読み書きするシーケンスを自動で実行する。リモコン２００側では、リーダライター１０４からのコマンド・データをトランスポンダー２０４で受信する。そして、制御部２０１は、無線通信部２０５により無線通信を介して、コマンド・データを本体機器３００に送信する。
2014097755.tif 000002
【特許請求の範囲】
【請求項１】
情報処理装置が搭載するリーダライターと通信するトランスポンダーと、
本体機器と通信する本体通信部と、
前記リーダライターが前記トランスポンダーに送信したコマンドを前記本体通信部から前記本体機器に送信させ、前記本体通信部が前記本体機器から受信したコマンド応答を前記トランスポンダーに設定する制御部と、
を具備する通信装置。
【請求項２】
前記制御部は、前記トランスポンダーが前記リーダライターからの搬送波を検出したことに応答して、前記本体通信部に前記本体機器との接続を指示する、
請求項１に記載の通信装置。
【請求項３】
前記制御部は、前記本体機器との接続が確立した時点で、前記トランスポンダーに前記リーダライターに対する応答を指示する、
請求項１に記載の通信装置。
【請求項４】
前記制御部は、前記本体機器との接続状態、又は、前記本体機器の起動状態に関する情報を前記トランスポンダーに設定する、
請求項１に記載の通信装置。
【請求項５】
前記制御部は、前記本体機器との接続、又は、前記本体機器に発生した障害に関する情報を開示する特定のサイトのＵＲＬ情報を前記トランスポンダーに設定する、
請求項１に記載の通信装置。
【請求項６】
情報処理装置が搭載するリーダライターがトランスポンダーに送信したコマンドを本体通信により本体機器に送信するステップと、
前記本体機器から本体通信により受信したコマンド応答を前記トランスポンダーに設定するステップと、
を有する通信方法。
【請求項７】
リーダライターを備えた情報端末と、
本体機器と、
前記本体機器と本体通信により接続するとともに、前記リーダライターと通信するトランスポンダーを備えるリモコンと、
を具備する通信システム。
【請求項８】
情報処理装置が搭載するリーダライターがトランスポンダーに送信したコマンドを本体通信により本体機器に送信する手段、
前記本体機器から本体通信により受信したコマンド応答を前記トランスポンダーに設定する手段、
としてコンピューターを機能させるようにコンピューター可読形式で記述されたコンピューター・プログラム。
【発明の詳細な説明】
【技術分野】
【０００１】
本明細書で開示する技術は、各種のアプリケーションを実行する情報処理装置及び情報処理方法、情報処理装置やテレビ受像機など家庭内設置機器の双方と通信する通信装置及び通信方法、通信システム、並びにコンピューター・プログラムに関する。
【背景技術】
【０００２】
昨今、スマートフォンやタブレット、携帯音楽再生装置、ゲーム機などの多機能端末が急速に広まっている。この種の端末は、例えばＡｎｄｒｏｉｄ（登録商標）のようなオペレーティング・システムで動作するとともにネットワーク接続機能を搭載しており、必要なアプリケーションを逐次ダウンロードしてさまざまな処理を実行することができる（例えば、特許文献１を参照のこと）。【０００３】
一方、テレビ受像機は、家庭内に浸透して久しい。多機能端末のユーザーにとっては、多機能端末とテレビ受像機の間で連携を図りたいという要望がある。例えば、多機能端末からテレビ受像機へコマンドを送る、多機能端末上で実行しているアプリケーションをテレビ受像機側でも実行する、多機能端末上でストリーミング再生しているコンテンツをテレビ受像機側の大画面で引き続き視聴する、などである。
【先行技術文献】
【特許文献】
【０００４】
【特許文献１】特開２０１２−１８５７４５号公報
【発明の概要】
【発明が解決しようとする課題】
【０００５】
本明細書で開示する技術の目的は、各種アプリケーションを実行するとともに、リモコンのような通信装置の介在により、テレビ受像機のような家庭内設置機器と通信を行なうことができる、優れた情報処理装置及び情報処理方法、並びにコンピューター・プログラムを提供することにある。【０００６】
本明細書で開示する技術のさらなる目的は、情報処理装置とテレビ受像機などの家庭内設置機器との間に介在して、手元で情報処理装置の使用を可能にすることができる、優れた通信装置及び通信方法、通信システム、並びにコンピューター・プログラムを提供することにある。
【課題を解決するための手段】
【０００７】
本願は、上記課題を参酌してなされたものであり、請求項１に記載の技術は、
情報処理装置が搭載するリーダライターと通信するトランスポンダーと、
本体機器と通信する本体通信部と、
前記リーダライターが前記トランスポンダーに送信したコマンドを前記本体通信部から前記本体機器に送信させ、前記本体通信部が前記本体機器から受信したコマンド応答を前記トランスポンダーに設定する制御部と、
を具備する通信装置である。【０００８】
本願の請求項２に記載の技術によれば、請求項１に記載の通信装置の前記制御部は、前記トランスポンダーが前記リーダライターからの搬送波を検出したことに応答して、前記本体通信部に前記本体機器との接続を指示するように構成されている。【０００９】
本願の請求項３に記載の技術によれば、請求項１に記載の通信装置の前記制御部は、前記本体機器との接続が確立した時点で、前記トランスポンダーに前記リーダライターに対する応答を指示するように構成されている。【００１０】
本願の請求項４に記載の技術によれば、請求項１に記載の通信装置の前記制御部は、前記本体機器との接続状態、又は、前記本体機器の起動状態に関する情報を前記トランスポンダーに設定するように構成されている。【００１１】
本願の請求項５に記載の技術によれば、請求項１に記載の通信装置の前記制御部は、前記本体機器との接続、又は、前記本体機器に発生した障害に関する情報を開示する特定のサイトのＵＲＬ情報を前記トランスポンダーに設定するように構成されている。【００１２】
また、本願の請求項６に記載の技術は、
情報処理装置が搭載するリーダライターがトランスポンダーに送信したコマンドを本体通信により本体機器に送信するステップと、
前記本体機器から本体通信により受信したコマンド応答を前記トランスポンダーに設定するステップと、
を有する通信方法である。【００１３】
また、本願の請求項７に記載の技術は、
リーダライターを備えた情報端末と、
本体機器と、
前記本体機器と本体通信により接続するとともに、前記リーダライターと通信するトランスポンダーを備えるリモコンと、
を具備する通信システムである。【００１４】
但し、ここで言う「システム」とは、複数の装置（又は特定の機能を実現する機能モジュール）が論理的に集合した物のことを言い、各装置や機能モジュールが単一の筐体内にあるか否かは特に問わない。【００１５】
また、本願の請求項８に記載の技術は、
情報処理装置が搭載するリーダライターがトランスポンダーに送信したコマンドを本体通信により本体機器に送信する手段、
前記本体機器から本体通信により受信したコマンド応答を前記トランスポンダーに設定する手段、
としてコンピューターを機能させるようにコンピューター可読形式で記述されたコンピューター・プログラムである。【００１６】
本願の請求項８に係るコンピューター・プログラムは、コンピューター上で所定の処理を実現するようにコンピューター可読形式で記述されたコンピューター・プログラムを定義したものである。換言すれば、本願の請求項８に係るコンピューター・プログラムをコンピューターにインストールすることによって、コンピューター上では協働的作用が発揮され、本願の請求項１に係る通信装置と同様の作用効果を得ることができる。
【発明の効果】
【００１７】
本明細書で開示する技術によれば、各種アプリケーションを実行するとともに、リモコンのような通信装置の介在により、テレビ受像機のような家庭内設置機器と通信を行なうことができる、優れた情報処理装置及び情報処理方法、並びにコンピューター・プログラムを提供することができる。【００１８】
また、本明細書で開示する技術によれば、情報処理装置とテレビ受像機などの家庭内設置機器との間に介在して、手元で情報処理装置の使用を可能にすることができる、優れた通信装置及び通信方法、通信システム、並びにコンピューター・プログラムを提供することができる。【００１９】
本明細書で開示する技術のさらに他の目的、特徴や利点は、後述する実施形態や添付する図面に基づくより詳細な説明によって明らかになるであろう。
【図面の簡単な説明】
【００２０】
【図１】図１は、本明細書で開示する技術の一実施形態に係る通信システム１の概要を示した図である。
【図２】図２は、携帯端末１００、リモコン２００、並びに本体機器３００の内部構成を模式的に示した図である。
【図３】図３は、リーダライター１０４とトランスポンダー２０４からなる電磁誘導方式の非接触通信システムの主に誘導結合部分の構成例を示した図である。
【図４】図４は、通信システム１において、携帯端末１００とリモコン２００と本体機器３００間で実行される通信シーケンス例を示した図である。
【図５】図５は、エラー情報を受け取った携帯端末１００側でエラーの内容を画面に表示して、ユーザーの操作を誘導する様子を示した図である。
【図６】図６は、エラー情報を受け取った携帯端末１００側でエラーの内容を画面に表示して、ユーザーの操作を誘導する様子を示した図である。
【図７】図７は、ユーザーが制御したい本体機器３００−１、３００−２、…をリモコン２００で選択して無線接続する通信システムの構成例を示した図である。
【図８】図８は、携帯端末１００が実行する処理手順を示したフローチャートである。
【図９】図９は、リモコン２００が実行する処理手順を示したフローチャートである。
【図１０】図１０は、携帯端末１００が実行する処理手順を示したフローチャートである。
【図１１】図１１は、リモコン２００が実行する処理手順を示したフローチャートである。
【図１２】図１２は、リモコン２００が実行する処理手順を示したフローチャートである。
【図１３】図１３は、携帯端末１００が実行する処理手順を示したフローチャートである。
【図１４】図１４は、リモコン２００が実行する処理手順を示したフローチャートである。
【図１５】図１５は、リモコン２００が実行する処理手順を示したフローチャートである。
【図１６】図１６は、リモコン２００が実行する処理手順を示したフローチャートである。
【発明を実施するための形態】
【００２１】
以下、図面を参照しながら本明細書で開示する技術の実施形態について詳細に説明する。
【００２２】
図１には、本明細書で開示する技術の一実施形態に係る通信システム１の概要を示している。図示の通信システム１は、ユーザーが携行できる携帯端末１００と、テレビ受像機などの本体機器３００と、本体機器をリモコン操作するリモコン２００で構成される。
【００２３】
携帯端末１００とリモコン２００は、非接触通信システムを利用して双方向通信が可能である。非接触通信システムは、一般に、トランスポンダーと、トランスポンダーに対して情報の読み書き動作を行なうリーダライター（ＲＷ）からなる。本実施形態では、携帯端末１００がリーダライター１０４を搭載し、リモコン２００がトランスポンダー２０４を搭載している。携帯端末１００をリモコン２００にかざすことで、リーダライター１０４とトランスポンダー２０４間での非接触通信が実施される。
【００２４】
また、リモコン２００と本体機器３００間は、Ｂｌｕｅｔｏｏｔｈ（登録商標）などの無線通信を利用して接続される。但し、本明細書で開示する技術を実現する上で、通信手段はＢｌｕｅｔｏｏｔｈ（登録商標）通信に必ずしも限定されるものではなく、Ｗｉ−Ｆｉなど他の無線通信や、有線の通信手段を利用してもよい。
【００２５】
なお、リーダライター１０４を搭載した携帯端末１００との通信を実現するために、本体機器３００にトランスポンダー機能を搭載するという設計論も考えられる。この場合、ユーザーは、本体機器３００のところまで行って、所持している携帯端末１００をかざす必要がある。これに対し、本実施形態では、リモコン２００にトランスポンダー２０４を搭載することで、ユーザーは、本体機器３００のところまで行かなくても、所持している携帯端末１００を手元のリモコン２００にかざすことで、同等の機能を実現することができる。
【００２６】
図２には、携帯端末１００、リモコン２００、並びに本体機器３００の内部構成を模式的に示している。但し、本明細書で開示する技術に直接関連しない機能ブロックについては適宜省略して描いている。
【００２７】
携帯端末１００は、制御部１０１と、メモリー１０２と、ユーザー入出力部１０３と、非接触通信用のリーダライター１０４を備えている。
【００２８】
制御部１０１は、メモリー１０２を作業領域に使って各種プログラムを実行して、携帯端末１００内の各部の動作を統括的にコントロールする。
【００２９】
ユーザー入出力部１０３は、情報を表示する表示画面などの出力部と、タッチパネルなどのユーザーの入力を受け付ける入力部を備えている。
【００３０】
リーダライター１０４は、所定の非接触通信規格（後述）に則って動作し、リモコン２００側のトランスポンダー２０４に対して情報の読み書きを行なうことで、リモコン２００との双方向通信を実現する。
【００３１】
リモコン２００は、制御部２０１と、メモリー２０２と、操作入力部２０３と、非接触通信用のトランスポンダー２０４と、無線通信部２０５を備えている。
【００３２】
制御部２０１は、メモリー２０２を作業領域に使って各種プログラムを実行して、リモコン２００内の各部の動作を統括的にコントロールする。
【００３３】
操作入力部２０３は、十字キーや数字キー、その他のボタンなどを備えユーザーの入力を受け付ける。
【００３４】
トランスポンダー２０４は、所定の非接触通信規格（後述）に則って動作し、携帯端末１００側のリーダライター１０４からの受信データを制御部２０１に渡す。また、制御部２０１は、携帯端末１００（リーダライター１０４）へのレスポンス・データを生成してトランスポンダー２０４に設定すると、トランスポンダー２０４はそのデータをリーダライター１０４へ送信する。但し、制御部２０１とトランスポンダー２０４間のデータ形式は、リーダライター１０４とトランスポンダー２０４間で送受信するデータ形式と同じである必要はない。
【００３５】
無線通信部２０５は、Ｂｌｕｅｔｏｏｔｈ（登録商標）若しくはその他の通信規格に則って通信動作を行なう。
【００３６】
制御部２０１は、携帯端末１００から、本体機器３００宛ての情報をトランスポンダー２０４で受信すると、無線通信部２０５から本体機器３００宛てに送信する。また、制御部２０１は、本体機器３００から、携帯端末１００宛ての情報を無線通信部２０５で受信すると、これをトランスポンダー２０４に書き込む。携帯端末１００は、トランスポンダー２０４に書き込まれた自分宛ての情報を、リーダライター１０４を使って読み出すことができる。
【００３７】
なお、メモリー２０２内に、本体機器３００との無線接続に失敗したときや、本体機器３００が所望の状態でないときなどにそれぞれ該当するスマートポスター形式のＵＲＬデータを格納している場合もある（後述）。
【００３８】
本体機器３００は、制御部３０１と、メモリー３０２と、無線通信部３０３を備えている。
【００３９】
制御部３０１は、メモリー３０２を作業領域に使って各種プログラムを実行して、本体機器３００内の各部の動作を統括的にコントロールする。例えば、本体機器３００がテレビ受像機であれば、制御部３０１は、リモコン２００からの選局動作に従って、選局受信した放送信号の映像及び音声出力をコントロールする。
【００４０】
無線通信部３０３は、Ｂｌｕｅｔｏｏｔｈ（登録商標）若しくはその他の通信規格に則って通信動作を行なう。制御部３０１は、無線通信部３０３を使って、リモコン２００側と情報交換を行なうことができる。
【００４１】
上述したように、携帯端末１００（リーダライター１０４）とリモコン２００（トランスポンダー２０４）間の情報交換には、非接触通信が利用される。非接触通信の一例として、ソニーとＰｈｉｌｉｐｓ社が開発したＮＦＣ（Ｎｅａｒ  Ｆｉｅｌｄ  Ｃｏｍｍｕｎｉｃａｔｉｏｎ）規格を挙げることができる。ＮＦＣ通信方式は、元々は非接触式ＩＣカードとして広く普及しているソニーの「ＦｅｌｉＣａ」やＰｈｉｌｉｐｓ社の「Ｍｉｆａｒｅ」を継承したものであり、１３．５６ＭＨｚ帯を使い、電磁誘導方式により１０ｃｍ程度の近接型の非接触双方向通信が可能である。
【００４２】
リーダライター１０４とトランスポンダー２０４をかざすことで、非接触通信が開始する。図３には、リーダライター１０４とトランスポンダー２０４からなる電磁誘導方式の非接触通信システムの主に誘導結合部分の構成例を示している。リーダライター１０４及びトランスポンダー２０４がそれぞれ備えるアンテナ共振回路３１、３２が電磁結合して、情報信号の授受が行なわれる。
【００４３】
リーダライター１０４は、処理部３１と、アンテナ共振回路３２を含んでいる。アンテナ共振回路３２は、抵抗Ｒ1と、コンデンサＣ1と、コイルＬ1からなる。アンテナ共振回路３２の固有の共振周波数は、コンデンサＣ1のキャパシタンスとコイルＬ1のインダクタンスにより、あらかじめ所定の値に設定される。リーダライター１０４側では、処理部３１により生成された情報信号をトランスポンダー２０４にアンテナ共振回路３２から送信し、また、トランスポンダー２０４からの情報信号をアンテナ共振回路３２で受信し、処理部３１に供給される。
【００４４】
一方、トランスポンダー２０４は、アンテナ共振回路３３と、負荷切替変調回路３４と、処理部３５を含んでいる。アンテナ共振回路３３は、抵抗Ｒ2と、コンデンサＣ2と、コイルＬ2からなる。アンテナ共振回路３３の共振周波数は、コンデンサＣ2のキャパシタンスとコイルＬ2のインダクタンスにより、あらかじめ所定の値に設定される。トランスポンダー２０４側では、処理部３５により生成された情報信号をアンテナ共振回路３３からリーダライター１０４に送信し、また、リーダライター１０４からの情報信号をアンテナ共振回路３３で受信し、処理部３５に供給される。
【００４５】
リーダライター１０４側の１次コイルＬ1とトランスポンダー２０４側の２次コイルＬ2でＬＣ共振回路が構成され、これら２つのコイルＬ1、Ｌ2の磁気的な結合によってコイル経由でデータ通信が行なわれる。
【００４６】
具体的には、リーダライター１０４側からは、処理部３１が１次コイルＬ1で発生する磁界を振幅変調することによってデータを送信し、トランスポンダー２０４側では、処理部３５がこれを検波して送信データを読み取る。
【００４７】
また、トランスポンダー２０４側からは、負荷切替変調回路３４が２次コイルＬ2の負荷切り替え（Ｌｏａｄ  Ｓｗｉｔｃｈｉｎｇ：ＬＳ）を行なうことにより、リーダライター１０４から送出される無変調搬送波を振幅変調して、リーダライター１０４へデータを送信することができる。
【００４８】
リーダライター１０４及びトランスポンダー２０４の各コイルＬ1、Ｌ2の共振周波数を搬送波周波数に調整して共振させることにより、トランスポンダー２０４とリーダライター１０４間の適当な通信距離を設定することができる。
【００４９】
本実施形態に係る通信システム１で実現される処理フローについて、図１、図２を再び参照しながら説明する。
【００５０】
携帯端末１００をリモコン２００にかざすことで、リーダライター１０４はリモコン２００内のトランスポンダー２０４を認識し、リーダライター１０４とトランスポンダー２０４間での非接触通信が実施される。
【００５１】
リーダライター１０４は、トランスポンダー２０４を認識した以降は、トランスポンダー２０４内のＮＤＥＦ（ＮＦＣ  Ｄａｔａ  Ｅｘｃｈａｎｇｅ  Ｆｏｒｍａｔ）データを読み書きするシーケンスを自動で実行する。
【００５２】
リモコン２００側では、リーダライター１０４からのコマンド・データをトランスポンダー２０４で受信する。そして、制御部２０１は、無線通信部２０５により無線通信を介して、コマンド・データを本体機器３００に送信する。
【００５３】
本体機器３００側では、制御部３０１が、無線通信部３０３で受信したコマンドに対するレスポンス・データを生成すると、無線通信部３０３により無線通信を介して、リモコン２００に返信する。リモコン２００側では、制御部２０１が受信したレスポンス・データをトランスポンダー２０４に設定する。但し、トランスポンダー２０４に設定されるレスポンス・データのデータ形式は、無線通信を介して送受信するデータ形式と同じである必要はない。携帯端末１００は、トランスポンダー２０４に設定されたレスポンス・データを、リーダライター１０４で読み取ることができる。
【００５４】
上記の処理フローにおいて、リモコン２００は、リーダライター１０４を搭載した携帯端末１００と本体機器３００の間を取り持つパイプ役であり、携帯端末１００からのコマンドを実際に処理するのは本体機器３００の制御部３０１である。
【００５５】
本実施形態に係る通信システム１では、携帯端末１００との通信内容を本体機器３００側の状態に応じて変更することができる。したがって、より適切で且つ多くの情報を携帯端末１００に提供することが可能である。
【００５６】
図４には、本実施形態に係る通信システム１において、携帯端末１００とリモコン２００と本体機器３００間で実行される通信シーケンス例を示している。
【００５７】
携帯端末１００のリーダライター１０４は、搬送波を間欠的に送出し、補足用コマンドを出している。図中、リーダライター１０４から搬送波が送出されている区間４０１を淡いグレーで示している。
【００５８】
ユーザーが携帯端末１００をリモコン２００にかざすと、リモコン２００側のトランスポンダー２０４にも搬送波が届く。制御部２０１は、トランスポンダー２０４が搬送波を検出したことに応答して（ＳＥＱ４０１）、無線通信部２０５に対して本体機器３００との無線接続を指示する（ＳＥＱ４０２）。無線通信部２０５は、この無線接続指示に応じて、本体機器３００側の無線通信部３０３との間で、Ｂｌｕｅｔｏｏｔｈ（登録商標）などの通信規格に従った所定の接続シーケンス（ＳＥＱ４０３）を実施した後に、無線接続を確立する。図中、無線接続が確立している区間４０２を濃いグレーで示している。
【００５９】
無線通信部２０５は、本体機器３００側との無線接続が確立すると、制御部２０１に接続完了を通知する（ＳＥＱ４０４）。制御部２０１は、無線接続が完了した時点で、トランスポンダー２０４に初期値パラメーターを設定する（ＳＥＱ４０５）。初期値パラメーターは、リーダライター１０４がトランスポンダー２０４（並びにリモコン２００）を認識するために必要な情報を含むものとする。
【００６０】
リーダライター１０４は、所定のタイミングで（例えば所定の時間間隔で周期的に）、補足用コマンドを繰り返し送出している（ＳＥＱ４０６）。補足用コマンドの一例は、ポーリング・コマンドである。初期値パラメーターが設定されたトランスポンダー２０４は、受信した補足用コマンドに対して、補足用コマンド応答を返すことができる（ＳＥＱ４０７）。なお、初期値パラメーターが設定される前のトランスポンダー２０４は、補足用コマンド応答を返すことができないものとする。
【００６１】
そして、リーダライター１０４は、トランスポンダー２０４からの補足用コマンド応答を受信することで、トランスポンダー２０４（並びにリモコン２００）を認識することができる。この結果、リーダライター１０４とトランスポンダー２０４間の非接触通信の接続が成立する。リーダライター１０４は、トランスポンダー２０４を認識した以降は、間欠的ではなく連続的に搬送波を送出するようにしてもよい。
【００６２】
また、制御部２０１は、トランスポンダー２０４に初期値を設定したことに続いて、本体機器３００への搬送波検出の通知を無線通信部２０５に指示する（ＳＥＱ４０８）。無線通信部２０５は、この通知指示に応じて、本体機器３００に対して搬送波検出を通知する（ＳＥＱ４０９）。
【００６３】
このようにして、リモコン２００と本体機器１００との無線接続が確立したとともに、携帯端末１００とリモコン２００との非接触通信が開始した以降は、リモコン２００をパイプ役として、携帯端末１００と本体機器３００の間でデータ送受信が可能となる。
【００６４】
携帯端末１００側のリーダライター１０４は、トランスポンダー２０４を認識した以降は、トランスポンダー２０４内のＮＤＥＦデータを読み書きするシーケンスを自動で実行している。例えば、リーダライター１０４がコマンド・データを送信する（ＳＥＱ４１０）。
【００６５】
リモコン２００側では、トランスポンダー２０４は、リーダライター１０４から受信したコマンド・データを制御部２０１に渡す（ＳＥＱ４１１）。そして、制御部２０１は、本体機器３００へのコマンド・データの送信を無線通信部２０５に指示し（ＳＥＱ４１２）、無線通信部２０５は、無線通信を介して、コマンド・データを本体機器３００に送信する（ＳＥＱ４１３）。
【００６６】
本体機器３００側では、制御部３０１が、無線通信部３０３で受信したコマンドに対するコマンド応答データを生成すると、無線通信部３０３により無線通信を介して、リモコン２００に返信する（ＳＥＱ４１４）。
【００６７】
リモコン２００側では、無線通信部２０５は、受信したコマンド応答データを制御部２０１に渡す（ＳＥＱ４１５）。そして、制御部２０１は、コマンド応答データをトランスポンダー２０４に設定する（ＳＥＱ４１６）。携帯端末１００は、トランスポンダー２０４に設定されたレスポンス・データを、リーダライター１０４で読み取ることができる（ＳＥＱ４１７）。
【００６８】
また、制御部２０１は、コマンド応答データをトランスポンダー２０４に設定した後、本体機器３００へのコマンド応答送信完了通知を無線通信部２０５に指示する（ＳＥＱ４１８）。そして、無線通信部２０５は、無線通信を介して、送信完了通知を本体機器３００に送信する（ＳＥＱ４１９）。
【００６９】
本実施形態に係る通信システム１は、携帯端末１００にリーダライター１０４を搭載するとともに、本体機器３００を操作するリモコン２００にトランスポンダー２０４を搭載した点に特徴があり、携帯端末１００をリモコン２００にかざす（若しくは、タッチする）というユーザーの操作により、携帯端末１００と本体機器３００とのペアリングが実現する。また、携帯端末１００が本体機器３００との接続に失敗したときには、その障害に関する情報を開示した特定のサイトのＵＲＬプッシュを、トランスポンダー２０４を介して行なうことができる（後述）。但し、通信システム１の目的や用途はこれらに限定されるものではない。
【００７０】
また、通信システム１において、図４に示した通信シーケンスを行なうと、（１）レスポンス向上、（２）通信時間短縮、（３）通信エラー抑制、というメリットがある。以下、各メリットについて説明しておく。
【００７１】
（１）レスポンス向上
リモコン２００は、リーダライター１０４からの補足用コマンドを受信してから本体機器３００との無線接続を開始するという通信シーケンスも考えられる。これに対し、図４に示した通信シーケンス例のように、リーダライター１０４からの搬送波の検出をトリガーにして本体機器３００との無線接続を開始するようにすることで、携帯端末１００に対するリモコン２００のレスポンスを向上させることができる。
【００７２】
（２）通信時間短縮
リモコン２００側で、本体機器３００との無線接続が完了した時点でトランスポンダー２０４に初期値を設定するようにしておくことで、リーダライター１０４とトランスポンダー２０４との非接触通信が開始した直後に（言い換えれば、携帯端末１００をリモコン２００にかざすだけで）、リモコン２００が本体機器３００にコマンド・データを送れる状態になる。すなわち、ユーザーは、携帯端末１００をリモコン２００にかざした際に、本体機器３００との無線接続に要する時間を意識しないで済む。
【００７３】
（３）通信エラー抑制
リーダライター１０４とトランスポンダー２０４との非接触通信が開始した後に、リモコン２００と本体機器３００間の無線接続の失敗により、通信シーケンスが中断してしまうこともある。これに対し、図４に示した通信シーケンス例では、本体機器３００との無線接続が完了した時点でトランスポンダー２０４に初期値を設定するようにしておくことで、無線接続確立が非接触通信を開始する前提となる。したがって、携帯端末１００とリモコン２００間の非接触通信が開始した後のリモコン２００と本体機器３００間の無線接続に起因したエラーの発生を抑制することができる。制御部２０１は、本体機器３００との無線接続に失敗したときには、そのエラー情報をトランスポンダー２０４に設定しておけば、リーダライター１０４からのコマンドに対する応答コマンドに載せて、エラー情報を携帯端末１００に通知することができる。
【００７４】
エラー情報の通知方法として、補足用コマンドに対する応答、固定値での応答、ＮＦＣフォーマットに則ったデータの応答などが挙げられる。
【００７５】
エラー情報を受け取った携帯端末１００側では、エラーの内容を画面に表示することで、ユーザーに対し、エラーを解消するための操作を誘導することができる。例えば、本体機器３００側の電源がオフのために無線接続を確立できなかったときには、「テレビの電源が入っているか確認してください。」などのメッセージを画面に表示して、ユーザーに対して、本体機器３００としてのテレビ受像機の電源をオンにする操作を誘導する（図５を参照のこと）。また、携帯端末１００からコマンド送信時に、本体機器３００側で所望のアプリケーションを起動していなかったためにエラーが発生したときには、「○○アプリを起動してください。」などのメッセージを画面に表示して、ユーザーに対して、本体機器３００上で所望のアプリケーションを起動する操作を誘導する（図６を参照のこと）。
【００７６】
また、本体機器３００との接続ができないなどの障害が発生したときに、その障害に関する情報を開示した特定のサイトのＵＲＬ（Ｕｎｉｆｏｒｍ  Ｒｅｓｏｕｒｃｅ  Ｌｏｃａｔｏｒ）タグを、リモコン２００内のトランスポンダー２０４に設定するようにしてもよい。ユーザーが携帯端末１００をリモコン２００にかざした際に、リーダライター１０４にそのＵＲＬタグを読み取らせることで、特定サイトへ誘導することができる。
【００７７】
また、本体機器３００の状態に応じて、適切なアプリケーションの起動トリガーをリモコン２００内のトランスポンダー２０４に設定することで、携帯端末１００に通知することができる。
【００７８】
通信システム１の、図４に示した通信シーケンスをベースにした２つのユースケースについて、以下に紹介しておく。
【００７９】
ユースケース１：接続失敗時に携帯端末を特定のＵＲＬに接続させる
手順１：トランスポンダー２０４がリーダライター１０４からの搬送波を検出したことに応答して、リモコン２００が本体機器との接続を開始する。
手順２：リモコン２００が、本体機器３００との接続に失敗すると、Ｓｍａｒｔ  Ｐｏｓｔｅｒ形式のＮＤＥＦデータを用意する。
手順３：リモコン２００内で、トランスポンダー２０４に初期値を設定する。
手順４：トランスポンダー２０４が、リーダライター１０４からの補足用コマンドに応答する。
手順５：リーダライター１０４が、ＲＥＡＤコマンドを発行して、トランスポンダー２０４からＮＤＥＦデータを読み出す。
手順６：携帯端末側１００では、リーダライター１０４が読み出したＳｍａｒｔ  Ｐｏｓｔｅｒ形式のＮＤＥＦデータに従って動作する。例えば、携帯端末１００は、ＮＤＥＦデータに記載のＵＲＬへの接続を行なう。
【００８０】
ユースケース２：スクリーン・ミラーリング
手順１：トランスポンダー２０４がリーダライター１０４からの搬送波を検出したことに応答して、リモコン２００が本体機器との接続を開始する。
手順２：リモコン２００が、本体機器３００との接続に成功し、トランスポンダー２０４に初期値を設定する。
手順３：トランスポンダー２０４が、リーダライター１０４からの補足用コマンドに応答する。
手順４：リーダライター１０４が、ＲＥＡＤコマンドを発行して、トランスポンダー２０４からＮＤＥＦデータを読み。このとき、携帯端末１００と本体機器３００との接続に必要なパスワードやＰ２Ｐデバイス・アドレスなどが、リモコン２００のトランスポンダー２０４を介して交換される。
手順５：携帯端末１００は、リーダライター１０４によりトランスポンダー２０４を介してからＮＤＥＦデータの読み出しを完了した後、ＷＲＩＴＥコマンドを発行して、トランスポンダー２０４にＮＤＥＦデータを書き込む。具体的には、携帯端末１００側のデバイス・アドレスなど、携帯端末１００との接続に必要な情報をトランスポンダー２０４に書き込むことで、本体機器３００に渡す。
手順６：携帯端末１００と本体機器３００間の接続が完了する。
【００８１】
図１に示した例では、携帯端末１００からコマンドを送信する制御対象となる本体機器３００は１台である。携帯端末１００が複数の機器を制御できる場合も想定される。このような場合、図７に示すように、ユーザーが制御したい本体機器３００−１、３００−２、…をリモコン２００で選択して無線接続する、というシステムの運用も考えられる。ユーザーは、いずれの本体機器３００−１、３００−２、…にコマンドを送る場合であっても、自分の携帯端末１００を同じリモコン２００にかざせばよい。また、制御対象となる本体機器の台数に拘わらず、トランスポンダー機能を搭載したリモコンを１つで済ませることが可能である。
【００８２】
図８には、リーダライター１０４を搭載した携帯端末１００が図４に示した通信シーケンスを実現するための処理手順をフローチャートの形式で示している。図示の処理手順は、例えば制御部１０１が所定のプログラム・コードを実行するという形態で実現する。
【００８３】
図示を省略するが、本シーケンスの区間中、リーダライター１０４からは搬送波が送出し続けられているものとする。また、携帯端末１００は、補足用コマンド応答を受信するまで（ステップＳ８０２のＮｏ）、リーダライター１０４から補足用コマンドを送信し続ける（ステップＳ８０１）。
【００８４】
そして、携帯端末１００側のリーダライター１０４は、リモコン２００側のトランスポンダー２０４から補足用コマンド応答を受信すると（ステップＳ８０２のＹｅｓ）、トランスポンダー２０４を認識し、リーダライター１０４とトランスポンダー２０４間の非接触通信の接続が成立する。
【００８５】
リーダライター１０４は、トランスポンダー２０４を認識した以降は、トランスポンダー２０４内のＮＤＥＦデータを読み書きするシーケンスを自動で実行している。ここで、リーダライター１０４がコマンド・データを送信すると（ステップＳ８０３）、リモコン２００側のトランスポンダーからはコマンド応答が返信され、リーダライター１０４はこのコマンド応答を受信する（ステップＳ８０４）。以降、シーケンスが終了するまで（ステップＳ８０５のＮｏ）、携帯端末１００は、リモコン２００との間でコマンド送信とコマンド応答受信が繰り返し実施する。シーケンスが終了すると（ステップＳ８０５のＹｅｓ）、携帯端末１００は、リーダライター１０４からの搬送波の送信を停止する。
【００８６】
図９には、トランスポンダー２０４を搭載したリモコン２００が、図４に示した通信シーケンスを実現するための処理手順をフローチャートの形式で示している。図示の処理手順は、図８に示した携帯端末１００の処理手順に対応したものであるが、例えば制御部２０１が所定のプログラム・コードを実行するという形態で実現する。
【００８７】
リモコン２００は、トランスポンダー２０４でリーダライター１０４から搬送波を検出すると（ステップＳ９０１のＹｅｓ）、無線通信部２０５により本体機器３００との無線接続を試みる（ステップＳ９０２）。
【００８８】
ここで、本体機器３００との無線接続に失敗すると（ステップＳ９０２のＮｏ）、リモコン２００は、以降の処理ステップをすべてスキップして、本処理ルーチンを終了する。
【００８９】
一方、本体機器３００との無線接続に成功したときには（ステップＳ９０２のＹｅｓ）、制御部２０１は、トランスポンダー２０４に初期値パラメーターを設定する（ステップＳ９０３）。
【００９０】
初期値パラメーターが設定されたトランスポンダー２０４は、リーダライター１０４から補足用コマンドを受信すると（ステップＳ９０４のＹｅｓ）、初期値パラメーターを載せた補足用コマンド応答を返す（ステップＳ９０５）。この結果、リーダライター１０４とトランスポンダー２０４間の非接触通信の接続が成立する。なお、補足用コマンドの受信並びに補足用コマンド応答送信の処理は、トランスポンダー２０４又は制御部２０１のどちらで行なってもよい。
【００９１】
その後、携帯端末１００側から本体機器３００へのコマンドをトランスポンダー２０４で受信すると（ステップＳ９０６のＹｅｓ）、制御部２０１は、無線通信部２０５に本体機器３００側へそのコマンドを送信させる（ステップＳ９０７）。そして、本体機器３００からのコマンド応答を無線通信部２０５で受信すると（ステップＳ９０８のＹｅｓ）、制御部２０１は、コマンド応答データをトランスポンダー２０４に設定して、携帯端末１００に送信する（ステップＳ９０９）。
【００９２】
リモコン２００は、トランスポンダー２０４でリーダライター１０４からの搬送波を検出し続けている間は（ステップＳ９１０のＹｅｓ）、携帯端末１００からのコマンドの本体機器３００への転送と、本体機器３００からのコマンド応答の携帯端末１００への転送、すなわち、携帯端末１００と本体機器３００間のパイプ役としての動作を繰り返し行なう。そして、トランスポンダー２０４で搬送波を検出しなくなると（ステップＳ９１０のＮｏ）、リモコン２００は本処理ルーチンを終了する。
【００９３】
図１０には、携帯端末１００が実行する処理手順の他の例をフローチャートの形式で示している。図示の処理手順では、リモコン２００と本体機器３００間での無線接続のエラー状態を携帯端末１００のユーザーに通知する処理を含む点で、図８に示した処理手順とは相違する。
【００９４】
図示を省略するが、本シーケンスの区間中、リーダライター１０４からは搬送波が送出し続けられているものとする。また、携帯端末１００は、補足用コマンド応答を受信するまで（ステップＳ１００２のＮｏ）、リーダライター１０４から補足用コマンドを送信し続ける（ステップＳ１００１）。
【００９５】
そして、携帯端末１００側のリーダライター１０４は、リモコン２００側のトランスポンダー２０４から補足用コマンド応答を受信すると（ステップＳ１００２のＹｅｓ）、トランスポンダー２０４を認識し、以降はトランスポンダー２０４内のＮＤＥＦデータを読み書きするシーケンスを自動で実行している。また、携帯端末１００側では、リーダライター１０４がトランスポンダー２０４から受信した補足用応答コマンド応答の内容を確認して、リモコン２００と本体機器３００との無線接続にエラーが発生していないかどうかをチェックする（ステップＳ１００３）。
【００９６】
補足用コマンド応答の内容を確認した結果、リモコン２００と本体機器３００間が正常に無線接続されていることが分かったときには（ステップＳ１００３のＹｅｓ）、リーダライター１０４はトランスポンダー２０４内のＮＤＥＦデータを読み書きするシーケンスを自動で実行しており、トランスポンダー２０４に対してコマンド・データを送信する（ステップＳ１００４）。また、携帯端末１００は、送信したコマンドに対してリモコン２００がトランスポンダー２０４から返すコマンド応答を、リーダライター１０４で受信する（ステップＳ１００５）。以降、シーケンスが終了するまで（ステップＳ１００６のＮｏ）、携帯端末１００は、コマンド送信とコマンド応答受信を繰り返し実施する。シーケンスが終了すると（ステップＳ１００６のＹｅｓ）、携帯端末１００は、リーダライター１０４からの搬送波の送信も停止する。
【００９７】
一方、補足用コマンド応答の内容を確認した結果、リモコン２００と本体機器３００間の無線接続にエラーが発生していたときには（ステップＳ１００３のＮｏ）、携帯端末１００は、エラーの内容を画面に表示してユーザーに通知してから（ステップＳ１００７）、本処理ルーチンを終了する。
【００９８】
ユーザーは、ステップＳ１００７で表示された画面を見て、エラーを解消するための操作へと誘導される。例えば、本体機器３００側の電源がオフのために無線接続を確立できなかったときには、「テレビの電源が入っているか確認してください。」などのメッセージを画面に表示して、ユーザーに対して、本体機器３００としてのテレビ受像機の電源をオンにする操作を誘導することができる（図５を参照のこと）。また、携帯端末１００からコマンド送信時に、本体機器３００側で所望のアプリケーションを起動していなかったためにエラーが発生したときには、「○○アプリを起動してください。」などのメッセージを画面に表示して、ユーザーに対して、本体機器３００上で所望のアプリケーションを起動する操作を誘導することができる（図６を参照のこと）。
【００９９】
図１１及び図１２には、携帯端末１００側での図１０に示した処理手順に対応して、リモコン２００が実行する処理手順の他の例をフローチャートの形式で示している。図示の処理手順では、リモコン２００と本体機器３００間での無線接続にエラーが生じることを想定し、エラー状態を携帯端末１００側に通知する処理を含む点で、図９に示した処理手順とは相違する。
【０１００】
リモコン２００は、トランスポンダー２０４でリーダライター１０４から搬送波を検出すると（ステップＳ１１０１のＹｅｓ）、無線通信部２０５により本体機器３００との無線接続を試みる（ステップＳ１１０２）。
【０１０１】
ここで、本体機器３００との無線接続に失敗したときには（ステップＳ１１０２のＮｏ）、制御部２０１は、本体機器３００との無線接続に失敗したことを示すエラーＩＤをトランスポンダー２０４に設定する（ステップＳ１１１５）。そして、トランスポンダー２０４は、リーダライター１０４から補足用コマンドを受信すると（ステップＳ１１１６のＹｅｓ）、設定されたエラーＩＤを含んだ補足用コマンド応答を返し（ステップＳ１１１７）、本処理ルーチンを終了する。携帯端末１００側では、補足用コマンド応答の内容を確認して、リモコン２００と本体機器３００間の無線接続に失敗したことを確認することができる（前述）。
【０１０２】
一方、本体機器３００との無線接続に成功したときには（ステップＳ１１０２のＹｅｓ）、続いて、本体機器３００の状態（例えば、所望のアプリケーションを起動した状態か否か）を確認する（ステップＳ１１０３）。そして、本体機器３００が（所望のアプリケーションを起動した）所望の状態でないときには（ステップＳ１１０３のＮｏ）、制御部２０１は、所望の状態でないことを示すエラーＩＤをトランスポンダー２０４に設定する（ステップＳ１１１２）。そして、トランスポンダー２０４は、リーダライター１０４から補足用コマンドを受信すると（ステップＳ１１１３のＹｅｓ）、設定されたエラーＩＤを含んだ補足用コマンド応答を返し（ステップＳ１１１４）、本処理ルーチンを終了する。携帯端末１００側では、補足用コマンド応答の内容を確認して、本体機器３００が所望の状態でないことを確認することができる（前述）。
【０１０３】
また、本体機器３００が所望の状態であるときには（ステップＳ１１０３のＹｅｓ）、制御部２０１は、正常時の初期値をトランスポンダー２０４に設定する（ステップＳ１１０４）。そして、トランスポンダー２０４は、リーダライター１０４から補足用コマンドを受信すると（ステップＳ１１０５のＹｅｓ）、設定された初期値を含んだ補足用コマンド応答を返す（ステップＳ１１０６）。この結果、リーダライター１０４とトランスポンダー２０４間の非接触通信の接続が成立する。なお、補足用コマンドの受信並びに補足用コマンド応答送信の処理は、トランスポンダー２０４又は制御部２０１のどちらで行なってもよい。また、携帯端末１００側では、受信した補足用コマンド応答の内容を確認して、リモコン２００と本体機器３００間の無線接続が確立され、且つ、本体機器３００が所望の状態であることを確認することができる。
【０１０４】
その後、携帯端末１００側から本体機器３００へのコマンドをトランスポンダー２０４で受信すると（ステップＳ１１０７のＹｅｓ）、無線通信部２０５から本体機器３００側へそのコマンドを送信する（ステップＳ１１０８）。そして、本体機器３００からコマンド応答を受信すると（ステップＳ１１０９のＹｅｓ）、コマンド応答データをトランスポンダー２０４に設定して、携帯端末１００に送信する（ステップＳ１１１０）。
【０１０５】
リモコン２００は、トランスポンダー２０４でリーダライター１０４からの搬送波を検出し続けている間は（ステップＳ１１１１のＹｅｓ）、携帯端末１００からのコマンドの本体機器３００への転送と、本体機器３００からのコマンド応答の携帯端末１００への転送、すなわち、携帯端末１００と本体機器３００間のパイプ役としての動作を繰り返し行なう。そして、トランスポンダー２０４で搬送波を検出しなくなると（ステップＳ１１１１のＮｏ）、リモコン２００は本処理ルーチンを終了する。
【０１０６】
図１３には、携帯端末１００が実行する処理手順の他の例をフローチャートの形式で示している。図示の処理手順では、携帯端末１００がスマートポスター（Ｓｍａｒｔ  Ｐｏｓｔｅｒ：ＳＰ）形式のＮＤＥＦ（ＮＦＣ  Ｄａｔａ  Ｅｘｃｈａｎｇｅ  Ｆｏｒｍａｔ）データの読み出しを行なう点で、図８に示した処理手順とは相違する。
【０１０７】
図示を省略するが、本シーケンスの区間中、リーダライター１０４からは搬送波が送出し続けられているものとする。また、携帯端末１００は、補足用コマンド応答を受信するまで（ステップＳ１３０２のＮｏ）、リーダライター１０４から補足用コマンドを送信し続ける（ステップＳ１３０１）。
【０１０８】
そして、携帯端末１００側のリーダライター１０４は、リモコン２００側のトランスポンダー２０４から補足用コマンド応答を受信すると（ステップＳ１３０２のＹｅｓ）、トランスポンダー２０４を認識し、リーダライター１０４とトランスポンダー２０４間の非接触通信の接続が成立する。
【０１０９】
リーダライター１０４は、トランスポンダー２０４を認識した以降は、トランスポンダー２０４内のＮＤＥＦデータを読み書きするシーケンスを自動で実行している。ここで、リーダライター１０４がコマンド・データを送信すると（ステップＳ１３０３）、リモコン２００側のトランスポンダーからはコマンド応答が返信され、リーダライター１０４はこのコマンド応答を受信する（ステップＳ１３０４）。
【０１１０】
ステップＳ１３０４では、携帯端末１００のリーダライター１０４からはＮＤＥＦ読み出しコマンドを送信する場合がある。リモコン２００は、本体機器３００との無線接続に失敗したときや、本体機器３００が所望の状態でないときなどにそれぞれ該当する情報を開示した特定のサイトにアクセスするためのスマートポスター形式のＵＲＬデータを用意しており、ＮＤＥＦ読み出しコマンドに応答して、対応するＵＲＬデータを返すことができる。
【０１１１】
携帯端末１００は、ＮＤＥＦ読み出しコマンドに対する応答として、スマートポスター形式のＵＲＬデータを受信した場合（ステップＳ１３０５のＹｅｓ）、受信したＵＲＬ情報に従って特定のサイトを表示して（ステップＳ１３０６）、本処理ルーチンを終了する。携帯端末１００は、読み出したＮＤＥＦデータに従い動作するため、例えば記載のＵＲＬに接続するなどの動作をさせることで、本体機器３００の状況に応じたページを表示させることができる。
【０１１２】
また、携帯端末１００は、スマートポスター形式のＵＲＬデータを受信しない限り（ステップＳ１３０５のＮｏ）、シーケンスが終了するまで（ステップＳ１３０７のＮｏ）、コマンド送信とコマンド応答受信を繰り返し実施する。シーケンスが終了すると（ステップＳ１３０７のＹｅｓ）、携帯端末１００は、リーダライター１０４からの搬送波の送信も停止する。
【０１１３】
図１４乃至図１６には、携帯端末１００側での図１３に示した処理手順に対応して、リモコン２００が実行する処理手順の他の例をフローチャートの形式で示している。図示の処理手順では、リモコン２００が、ＮＤＥＦ読み出し要求に応答して該当するスマートポスター形式のＵＲＬデータを送信する点で、図９に示した処理手順とは相違する。
【０１１４】
リモコン２００は、トランスポンダー２０４でリーダライター１０４から搬送波を検出すると（ステップＳ１４０１のＹｅｓ）、無線通信部２０５により本体機器３００との無線接続を試みる（ステップＳ１４０２）。
【０１１５】
ここで、本体機器３００との無線接続に失敗したときには（ステップＳ１４０２のＮｏ）、制御部２０１は、本体機器３００との無線接続の失敗に該当するスマートポスター形式のＵＲＬデータを生成する（ステップＳ１４１８）。また、制御部２０１は、正常時の初期値をトランスポンダー２０４に設定する（ステップＳ１４１９）。そして、トランスポンダー２０４は、リーダライター１０４から補足用コマンドを受信すると（ステップＳ１４２０のＹｅｓ）、設定された初期値を含んだ補足用コマンド応答を返す（ステップＳ１４２１）。その後、携帯端末１００からＮＤＥＦ読み出しコマンドを受信したときには（ステップＳ１４２２）、ステップＳ１４１８で生成したスマートポスター形式のＵＲＬデータをトランスポンダー２０４から携帯端末１００に送信して（ステップＳ１４２３）、本処理ルーチンを終了する。
【０１１６】
一方、本体機器３００との無線接続に成功したときには（ステップＳ１４０２のＹｅｓ）、続いて、本体機器３００の状態（例えば、所望のアプリケーションを起動した状態か否か）を確認する（ステップＳ１４０３）。そして、本体機器３００が（所望のアプリケーションを起動した）所望の状態でないときには（ステップＳ１４０３のＮｏ）、制御部２０１は、本体機器３００が所望の状態でないことに該当するスマートポスター形式のＵＲＬデータを生成する（ステップＳ１４１２）。また、制御部２０１は、正常時の初期値をトランスポンダー２０４に設定する（ステップＳ１４１３）。そして、トランスポンダー２０４は、リーダライター１０４から補足用コマンドを受信すると（ステップＳ１４１４のＹｅｓ）、設定された初期値を含んだ補足用コマンド応答を返す（ステップＳ１４１５）。その後、携帯端末１００からＮＤＥＦ読み出しコマンドを受信したときには（ステップＳ１４１７）、ステップＳ１４１２で生成したスマートポスター形式のＵＲＬデータをトランスポンダー２０４から携帯端末１００に送信して（ステップＳ１４１８）、本処理ルーチンを終了する。
【０１１７】
また、本体機器３００が所望の状態であるときには（ステップＳ１４０３のＹｅｓ）、制御部２０１は、正常時の初期値をトランスポンダー２０４に設定する（ステップＳ１４０４）。そして、トランスポンダー２０４は、リーダライター１０４から補足用コマンドを受信すると（ステップＳ１４０５のＹｅｓ）、設定された初期値を含んだ補足用コマンド応答を返す（ステップＳ１４０６）。この結果、リーダライター１０４とトランスポンダー２０４間の非接触通信の接続が成立する。なお、補足用コマンドの受信並びに補足用コマンド応答送信の処理は、トランスポンダー２０４又は制御部２０１のどちらで行なってもよい。
【０１１８】
その後、携帯端末１００側から本体機器３００へのコマンドをトランスポンダー２０４で受信すると（ステップＳ１４０７のＹｅｓ）、無線通信部２０５から本体機器３００側へそのコマンドを送信する（ステップＳ１４０８）。そして、無線通信部２０５が本体機器３００からコマンド応答を受信すると（ステップＳ１４０９のＹｅｓ）、制御部２０１は、コマンド応答データをトランスポンダー２０４に設定して、携帯端末１００に送信する（ステップＳ１４１０）。
【０１１９】
リモコン２００は、トランスポンダー２０４でリーダライター１０４からの搬送波を検出し続けている間は（ステップＳ１４１１のＹｅｓ）、携帯端末１００からのコマンドの本体機器３００への転送と、本体機器３００からのコマンド応答の携帯端末１００への転送、すなわち、携帯端末１００と本体機器３００間のパイプ役としての動作を繰り返し行なう。そして、搬送波を検出しなくなると（ステップＳ１４１１のＮｏ）、リモコン２００は本処理ルーチンを終了する。
【０１２０】
なお、本明細書の開示の技術は、以下のような構成をとることも可能である。
（１）本体機器のリモコンが搭載するトランスポンダーと通信するリーダライターと、
前記本体機器へのコマンドをリーダライターから前記トランスポンダーに送信させ、前記トランスポンダーに設定された前記本体機器からのコマンド応答を前記リーダライターに読み出させる制御部と、
を具備する情報処理装置。
（２）表示部をさらに備え、
前記制御部は、前記リーダライターが前記トランスポンダーから読み取った情報を前記表示部に表示させる、
上記（１）に記載の情報処理装置。
（３）前記制御部は、前記トランスポンダーに設定された、前記本体機器と前記リモコン間の接続状態、又は、前記本体機器の起動状態に関する情報を前記表示部に表示させる、
上記（２）に記載の情報処理装置。
（４）前記制御部は、前記トランスポンダーに設定された、前記本体機器と前記リモコン間、又は前記本体機器に発生した障害に関する情報を開示したＵＲＬに従って、前記表示部に特定サイトを表示させる、
上記（２）に記載の情報処理装置。
（５）本体機器のリモコンが搭載するトランスポンダーに前記本体機器へのコマンドを送信するようにリーダライターに指示するステップと、
前記トランスポンダーに設定された前記本体機器からのコマンド応答を前記リーダライターに読み出させるステップと、
を有する情報処理方法。
（６）情報処理装置が搭載するリーダライターと通信するトランスポンダーと、
本体機器と通信する本体通信部と、
前記リーダライターが前記トランスポンダーに送信したコマンドを前記本体通信部から前記本体機器に送信させ、前記本体通信部が前記本体機器から受信したコマンド応答を前記トランスポンダーに設定する制御部と、
を具備する通信装置。
（７）前記制御部は、前記トランスポンダーが前記リーダライターからの搬送波を検出したことに応答して、前記本体通信部に前記本体機器との接続を指示する、
上記（６）に記載の通信装置。
（８）前記制御部は、前記本体機器との接続が確立した時点で、前記トランスポンダーに前記リーダライターに対する応答を指示する、
上記（６）に記載の通信装置。
（９）前記制御部は、前記本体機器との接続状態、又は、前記本体機器の起動状態に関する情報を前記トランスポンダーに設定する、
上記（６）に記載の通信装置。
（１０）前記制御部は、前記本体機器との接続、又は、前記本体機器に発生した障害に関する情報を開示する特定のサイトのＵＲＬ情報を前記トランスポンダーに設定する、
上記（６）に記載の通信装置。
（１１）情報処理装置が搭載するリーダライターがトランスポンダーに送信したコマンドを本体通信により本体機器に送信するステップと、
前記本体機器から本体通信により受信したコマンド応答を前記トランスポンダーに設定するステップと、
を有する通信方法。
（１２）リーダライターを備えた情報端末と、
本体機器と、
前記本体機器と本体通信により接続するとともに、前記リーダライターと通信するトランスポンダーを備えるリモコンと、
を具備する通信システム。
（１３）本体機器のリモコンが搭載するトランスポンダーに前記本体機器へのコマンドを送信するようにリーダライターに指示する手段、
前記トランスポンダーに設定された前記本体機器からのコマンド応答を前記リーダライターに読み出させる手段、
としてコンピューターを機能させるようにコンピューター可読形式で記述されたコンピューター・プログラム。
（１４）情報処理装置が搭載するリーダライターがトランスポンダーに送信したコマンドを本体通信により本体機器に送信する手段、
前記本体機器から本体通信により受信したコマンド応答を前記トランスポンダーに設定する手段、
としてコンピューターを機能させるようにコンピューター可読形式で記述されたコンピューター・プログラム。
【産業上の利用可能性】
【０１２１】
以上、特定の実施形態を参照しながら、本明細書で開示する技術について詳細に説明してきた。しかしながら、本明細書で開示する技術の要旨を逸脱しない範囲で当業者が該実施形態の修正や代用を成し得ることは自明である。【０１２２】
本明細書では、リーダライターを搭載する機器として、スマートフォンなどの携帯端末を想定した実施形態について説明したが、携帯端末に限定されるものではなく、ユーザーが携帯するには不便な重量やサイズからなる情報処理装置であってもよい。このような場合、情報処理装置をリモコンにかざすのではなく、リモコンを情報処理装置にかざすという運用であってもよい。また、携帯端末からコマンドを送信する、制御対象の本体機器はテレビ受像機に限定されず、オーディオ再生装置を始めさまざまなＣＥ機器が挙げられる。また、携帯端末とリモコン間で行なう非接触通信の方式は、ＮＦＣに限定されるものではない。【０１２３】
要するに、例示という形態により本明細書で開示する技術について説明してきたのであり、本明細書の記載内容を限定的に解釈するべきではない。本明細書で開示する技術の要旨を判断するためには、特許請求の範囲を参酌すべきである。
【符号の説明】
【０１２４】
１…通信システム
１００…携帯端末
１０１…制御部、１０２…メモリー
１０３…ユーザー入出力部、１０４…リーダライター
２００…リモコン
２０１…制御部、２０２…メモリー
２０３…操作入力部、２０４…トランスポンダー、２０５…無線通信部
３００…本体機器
３０１…制御部、３０２…メモリー、３０３…無線通信部
３１…処理部、３２…アンテナ共振回路
３３…アンテナ共振回路、３４…負荷切替変調回路、３５…処理部
【図２】
2014097755.tif 000003
【図３】
2014097755.tif 000004
【図８】
2014097755.tif 000005
【図９】
2014097755.tif 000006
【図１０】
2014097755.tif 000007
【図１１】
2014097755.tif 000008
【図１２】
2014097755.tif 000009
【図１３】
2014097755.tif 000010
【図１４】
2014097755.tif 000011
【図１５】
2014097755.tif 000012
【図１６】
2014097755.tif 000013
【図１】
2014097755.tif 000014
【図４】
2014097755.tif 000015
【図５】
2014097755.tif 000016
【図６】
2014097755.tif 000017
【図７】
2014097755.tif 000018
【国際調査報告】
2014097755.tif 000019
2014097755.tif 000020
2014097755.tif 000021
2014097755.tif 000022